(57)【要約】【課題】  安全性の高い環境を維持しながら、ユーザの使い勝手を格段的に向上させ得る通信システム、通信装置及びその制御方法を提案する。【解決手段】  第１の通信端末に、電源のオフ操作又はオン操作に応動して第１又は第２のメッセージを第２の通信端末に送信するメッセージ送信手段を設け、第２の通信端末に、第１のメッセージを受信したときにメイン電源をオフさせる第１の電源制御手段と、第２のメッセージを受信したときにメイン電源をオンさせる第２の電源制御手段と、第１のメッセージを受信したときに通信手段を受信専用のモードに設定する一方、第２のメッセージを受信したときに通信手段を送受信可能なモードに設定するモード設定手段と、当該第２の通信端末のメイン電源がオフの間、第２の電源制御手段に対して駆動電源としてのサブ電源を供給するサブ電源供給手段とを設けるようにした。【選択図】        図４
2005244487.tif 000002
【特許請求の範囲】
【請求項１】
第１及び第２の通信端末間で所定の無線通信規格に従って通信する通信システムにおいて、
上記第１の通信端末は、
当該第１の通信端末の電源をオフ又はオンするためのスイッチと、
上記スイッチのオフ操作又はオン操作に応動して所定の第１又は第２のメッセージを上記第２の通信端末に送信するメッセージ送信手段と
を具え、
上記第２の通信端末は、
上記第１の通信端末との間で上記所定の無線通信規格に従って通信する通信手段と、
上記第１のメッセージを受信したときに、当該第２の通信端末のメイン電源をオフさせる第１の電源制御手段と、
上記第２のメッセージを受信したときに、当該第２の通信端末の上記メイン電源をオンさせる第２の電源制御手段と、
上記第１のメッセージを受信したときに上記通信手段を受信専用のモードに設定する一方、上記第２のメッセージを受信したときに上記通信手段を送受信可能なモードに設定するモード設定手段と、
当該第２の通信端末の上記メイン電源がオフの間、上記第２の電源制御手段に対して駆動電源としてのサブ電源を供給するサブ電源供給手段と
を具えることを特徴とする通信システム。
【請求項２】
上記第２の通信端末は、
当該第２の通信端末の上記メイン電源がオンのときに、外部ネットワークと接続可能な外部ネットワーク接続手段を具える
ことを特徴とする請求項１に記載の通信システム。
【請求項３】
上記第２の通信端末の上記第１の電源制御手段は、
上記通信手段を介して所定の識別情報を上記第１の通信端末に送信すると共に、当該識別情報を上記第２の電源制御手段に通知し、
上記第１の通信端末の上記メッセージ送信手段は、
上記第２の通信端末から送信される上記識別情報を記憶すると共に当該識別情報を付加して上記第２のメッセージを上記第２の通信端末に送信し、
上記第２の通信端末の上記第２の電源制御手段は、
上記第１の電源制御手段から通知された上記識別情報を記憶すると共に、上記第２のメッセージに付加された上記識別情報と当該記憶した識別情報とが一致したときに、上記第２の通信端末の上記メイン電源をオンさせる
ことを特徴とする請求項１に記載の通信システム。
【請求項４】
上記第１の通信端末の上記メッセージ送信手段は、
所定の第１の時間毎に所定の第３のメッセージを上記第２の通信端末に送信し、
上記第２の通信端末の上記第１の電源制御手段は、
上記第３のメッセージを上記第１の時間よりも長い所定の第２時間受信できなかったときに当該第２の通信端末の上記メイン電源をオフさせる
ことを特徴とする請求項１に記載の通信システム。
【請求項５】
他の通信端末との間で所定の無線通信規格に従って通信する通信装置において、
上記他の通信端末との間で上記所定の無線通信規格に従って通信する通信手段と、
上記他の通信端末に対する電源のオフ操作に応動して当該他の通信端末から送信される第１のメッセージを受信したときに、自機のメイン電源をオフさせる第１の電源制御手段と、
上記他の通信端末に対する電源のオン操作に応動して当該他の通信端末から送信される第２のメッセージを受信したときに、上記自機のメイン電源をオンさせる第２の電源制御手段と、
上記第１のメッセージを受信したときに上記通信手段を受信専用のモードに設定する一方、上記第２のメッセージを受信したときに上記通信手段を送受信可能なモードに設定するモード設定手段と、
上記自機の上記メイン電源がオフの間、上記第２の電源制御手段に対して駆動電源としてのサブ電源を供給するサブ電源供給手段と
を具えることを特徴とする通信装置。
【請求項６】
上記自機の上記メイン電源がオンのときに、外部ネットワークと接続可能な外部ネットワーク接続手段を具える
ことを特徴とする請求項５に記載の通信装置。
【請求項７】
上記第１の電源制御手段は、
上記通信手段を介して所定の識別情報を上記他の通信端末に送信すると共に、当該識別情報を上記第２の電源制御手段に通知し、
上記他の通信端末は、
当該識別情報を付加して上記第２のメッセージを送信し、
上記第２の電源制御手段は、
上記第１の電源制御手段から通知された上記識別情報を記憶すると共に、上記第２のメッセージに付加された上記識別情報と当該記憶した識別情報とが一致したときに、上記自機の上記メイン電源をオンさせる
ことを特徴とする請求項５に記載の通信装置。
【請求項８】
上記第１の通信端末は、
所定の第１の時間毎に所定の第３のメッセージを上記第２の通信端末に送信し、
上記第１の電源制御手段は、
上記第３のメッセージを上記第１の時間よりも長い所定の第２時間受信できなかったときに上記自機の上記メイン電源をオフさせる
ことを特徴とする請求項５に記載の通信装置。
【請求項９】
他の通信端末との間で所定の無線通信規格に従って通信する通信装置の制御方法において、
上記他の通信端末との間で上記所定の無線通信規格に従って通信する第１のステップと、
上記他の通信端末に対する電源のオフ操作に応動して当該他の通信端末から送信される第１のメッセージを受信したときに第１の電源制御手段により自機のメイン電源をオフさせる一方、上記他の通信端末に対する電源のオン操作に応動して当該他の通信端末から送信される第２のメッセージを受信したときに第２の電源制御手段により上記自機のメイン電源をオンさせる第２のステップと
を具え、
上記自機の上記メイン電源がオフの間も上記第２の電源制御手段に対して駆動電源としてのサブ電源を供給し、
上記第２のステップでは、
上記第１のメッセージを受信したときに上記他の通信端末との間の通信モードを受信専用のモードに設定する一方、上記第２のメッセージを受信したときに当該通信モードを送受信可能なモードに設定する
ことを特徴とする通信装置の制御方法。
【請求項１０】
上記通信装置は、
上記自機の上記メイン電源がオンのときに、外部ネットワークと接続可能な外部ネットワーク接続手段を具える
ことを特徴とする請求項９に記載の通信装置の制御方法。
【請求項１１】
上記第１のステップでは、
第１の電源制御手段が、所定の識別情報を上記他の通信端末に送信すると共に当該識別情報を上記第２の電源制御手段に通知し、
上記第２の電源制御手段が、上記第１の電源制御手段から通知された上記識別情報を記憶し、
上記第２のステップでは、
上記第２の電源制御手段が、上記第２のメッセージに付加された上記識別情報と記憶した上記識別情報とが一致したときに、上記自機の上記メイン電源をオンさせる
ことを特徴とする請求項９に記載の通信装置の制御方法。
【請求項１２】
上記第２のステップでは、
上記他の通信端末から所定の第１の時間毎に送信される上記第３のメッセージを当該第１の時間よりも長い所定の第２の時間受信できなかったときに、上記第２の電源制御手段が上記自機の上記メイン電源をオフさせる
ことを特徴とする請求項９に記載の通信装置の制御方法。
【発明の詳細な説明】
【技術分野】
【０００１】
本発明は、通信システム、通信装置及びその制御方法に関し、例えばワイヤレステレビジョンシステムに適用して好適なものである。
【背景技術】
【０００２】
近年、新しいタイプのテレビジョンシステムとして、テレビジョン放送用のチューナ機能及びインターネット接続機能が搭載されたベースステーション部と、液晶パネル及びスピーカが設けられたモニタ部とが別体化されたものがある（例えば非特許文献１参照）。
【０００３】
かかるテレビジョンシステム（以下、これをワイヤレステレビジョンシステムと呼ぶ）においては、ベースステーション部及びモニタ部を例えばＩＥＥＥ（Institute of Electrical and Electronics Engineers）８０２.１１規格に準拠した無線ＬＡＮ（Local Area Network）で接続し、ベースステーション部において受信したテレビジョン放送の映像音声データやインターネットからダウンロードしたホームページの画面データなどをモニタ部に無線送信し、モニタ部においてこの映像音声データや画面データに基づく映像を表示し音声を出力することにより、家中のどこにいてもワイヤレスでテレビジョン放送等を楽しむことができるようになされている。
【非特許文献１】エアボード、［online］、ソニー株式会社、［平成１５年１１月２５日検索］、インターネット〈URL:http://www.sony.jp/products/consumer/airboard〉
【発明の開示】
【発明が解決しようとする課題】
【０００４】
ところで、かかるワイヤレステレビジョンシステムでは、ベースステーション部及びモニタ部にそれぞれ電源スイッチが設けられ、これら電源スイッチを操作することによってベースステーション部及びモニタ部をそれぞれ独立してオン／オフさせ得るようになされている。
【０００５】
しかしながら、かかるワイヤレステレビジョンシステムでは、ベースステーション部のオン／オフが完全に独立しており、離れた場所からベースステーション部の電源をコントロールできないために、ベースステーション部を完全な低消費電力状態（以下、これをスタンバイモードと呼ぶ）にするためにはユーザがその都度ベースステーション部に赴き電源スイッチをオフ操作しなければならず、ワイヤレステレビジョンシステムとしての利便性を損なう問題があった。
【０００６】
かかる問題を解決するための１つの方法として、例えばワイヤレステレビジョンシステムの通信機能を利用して、モニタ部をリモートコントローラとした遠隔操作によって、ベースステーション部の電源をオフすることができるようにシステムを構築することが考えられる。
【０００７】
しかしながらこの方法によると、ベースステーション部の電源がオフのときにはベースステーション部及びモニタ部間の通信が切断されているために、モニタ部を使ってベースステーション部の電源をオフすることはできても、当該ベースステーション部の電源をオンにすることができない問題があった。
【０００８】
この場合において、例えばベースステーション部を電源がオフのときにも通信機能だけは動作をさせ続け、ユーザ操作に応じたモニタ部からの電源をオンにすべき旨のメッセージを受信したときにベースステーション部の電源がオンとなるようにシステムを構築することも考えられる。
【０００９】
しかしながら、かかるワイヤレステレビジョンシステムでは、上述のようにベースステーション部及びモニタ部間をＩＥＥＥ８０２.１１規格に準拠した無線ＬＡＮを介して無線接続するため、ＩＥＥＥ８０２.１１規格におけるアクセスポイントとして機能するベースステーション部の通信機能を動作させたままだと、当該ベースステーション部から自己の無線ＬＡＮ上での識別情報（ＳＳＩＤ（Service Set Identification））や通信時の暗号化に関する情報などを含むビーコンと呼ばれる電波を定期的に発信することとなる。
【００１０】
そしてこのことは、悪意ある第三者にビーコンが傍受されて、ベースステーション部及びモニタ部のＳＳＩＤや暗号化に関する情報が盗まれ、その後のベースステーション部及びモニタ部間の通信が傍受されたり、ベースステーション部を介して不正にインターネットにアクセスされる危険性があることを意味し、安全性の高い環境を維持し得なくなる問題がある。
【００１１】
本発明は以上の点を考慮してなされたもので、安全性の高い環境を維持しながら、ユーザの使い勝手を格段的に向上させ得る通信システム、通信装置及びその制御方法を提案しようとするものである。
【課題を解決するための手段】
【００１２】
かかる課題を解決するため本発明においては、通信システムにおいて、第１の通信端末に、当該第１の通信端末の電源をオフ又はオンするためのスイッチのオフ操作又はオン操作に応動して所定の第１又は第２のメッセージを第２の通信端末に送信するメッセージ送信手段を設け、第２の通信端末に、第１のメッセージを受信したときに、当該第２の通信端末のメイン電源をオフさせる第１の電源制御手段と、第２のメッセージを受信したときに、当該第２の通信端末のメイン電源をオンさせる第２の電源制御手段と、第１のメッセージを受信したときに通信手段を受信専用のモードに設定する一方、第２のメッセージを受信したときに通信手段を送受信可能なモードに設定するモード設定手段と、当該第２の通信端末のメイン電源がオフの間、第２の電源制御手段に対して駆動電源としてのサブ電源を供給するサブ電源供給手段とを設けるようにした。
【００１３】
この結果この通信システムでは、第１の通信端末の電源のオン／オフに連動させて第２の通信端末のメイン電源をオン／オフさせることができる。またこの場合において、第２の通信端末のメイン電源がオフのときには、通信手段が受信専用のモードとなっているため、その間例えば通常動作時に第２の通信端末から発信される通信に関する秘密情報を第三者に傍受されて盗まれるというおそれがない。
【００１４】
また本発明においては、通信装置において、他の通信端末に対する電源のオフ操作に応動して当該他の通信端末から送信される第１のメッセージを受信したときに、自機のメイン電源をオフさせる第１の電源制御手段と、他の通信端末に対する電源のオン操作に応動して当該他の通信端末から送信される第２のメッセージを受信したときに、自機のメイン電源をオンさせる第２の電源制御手段と、第１のメッセージを受信したときに通信手段を受信専用のモードに設定する一方、第２のメッセージを受信したときに通信手段を送受信可能なモードに設定するモード設定手段と、自機のメイン電源がオフの間、第２の電源制御手段に対して駆動電源としてのサブ電源を供給するサブ電源供給手段とを設けるようにした。
【００１５】
この結果この通信装置では、他の通信端末の電源のオン／オフに連動させて自機のメイン電源をオン／オフさせることができる。またこの場合において、自機のメイン電源がオフのときには、通信手段が受信専用のモードとなっているため、その間例えば通常動作時に自機から発信される通信に関する秘密情報を第三者に傍受されて盗まれるというおそれがない。
【００１６】
さらに本発明においては、通信装置の制御方法において、他の通信端末に対する電源のオフ操作に応動して当該他の通信端末から送信される第１のメッセージを受信したときに第１の電源制御手段により自機のメイン電源をオフさせる一方、他の通信端末に対する電源のオン操作に応動して当該他の通信端末から送信される第２のメッセージを受信したときに第２の電源制御手段により自機のメイン電源をオンさせるステップを設け、自機のメイン電源がオフの間も第２の電源制御手段に対して駆動電源としてのサブ電源を供給し、かかるステップでは、第１のメッセージを受信したときに他の通信端末との間の通信モードを受信専用のモードに設定する一方、第２のメッセージを受信したときに当該通信モードを送受信可能なモードに設定するようにした。
【００１７】
この結果この通信装置の制御方法によれば、他の通信端末の電源のオン／オフに連動させて通信装置のメイン電源をオン／オフさせることができる。またこの場合において、通信装置のメイン電源がオフのときには、通信手段が受信専用のモードとなっているため、その間例えば通常動作時に当該通信装置から発信される通信に関する秘密情報を第三者に傍受されて盗まれるというおそれがない。
【発明の効果】
【００１８】
本発明によれば、通信システムにおいて、第１の通信端末に、当該第１の通信端末の電源をオフ又はオンするためのスイッチのオフ操作又はオン操作に応動して所定の第１又は第２のメッセージを第２の通信端末に送信するメッセージ送信手段を設け、第２の通信端末に、第１のメッセージを受信したときに、当該第２の通信端末のメイン電源をオフさせる第１の電源制御手段と、第２のメッセージを受信したときに、当該第２の通信端末のメイン電源をオンさせる第２の電源制御手段と、第１のメッセージを受信したときに通信手段を受信専用のモードに設定する一方、第２のメッセージを受信したときに通信手段を送受信可能なモードに設定するモード設定手段と、当該第２の通信端末のメイン電源がオフの間、第２の電源制御手段に対して駆動電源としてのサブ電源を供給するサブ電源供給手段とを設けるようにしたことにより、第１の通信端末の電源のオン／オフに連動させて第２の通信端末のメイン電源をオン／オフさせることができ、しかもこの場合において、第２の通信端末のメイン電源がオフのときには、通信手段が受信専用のモードとなっているため、その間例えば通常動作時に第２の通信端末から発信される通信に関する秘密情報を第三者に傍受されて盗まれるのを有効かつ未然に防止することができ、かくして安全性の高い環境を維持しながら、ユーザの使い勝手を格段的に向上させ得る通信システムを実現できる。
【００１９】
また本発明によれば、通信装置において、他の通信端末に対する電源のオフ操作に応動して当該他の通信端末から送信される第１のメッセージを受信したときに、自機のメイン電源をオフさせる第１の電源制御手段と、他の通信端末に対する電源のオン操作に応動して当該他の通信端末から送信される第２のメッセージを受信したときに、自機のメイン電源をオンさせる第２の電源制御手段と、第１のメッセージを受信したときに通信手段を受信専用のモードに設定する一方、第２のメッセージを受信したときに通信手段を送受信可能なモードに設定するモード設定手段と、自機のメイン電源がオフの間、第２の電源制御手段に対して駆動電源としてのサブ電源を供給するサブ電源供給手段とを設けるようにしたことにより、他の通信端末の電源のオン／オフに連動させて自機のメイン電源をオン／オフさせることができ、しかもこの場合において、自機のメイン電源がオフのときには、通信手段が受信専用のモードとなっているため、その間例えば通常動作時に自機から発信される通信に関する秘密情報を第三者に傍受されて盗まれるのを有効かつ未然に防止することができ、かくして安全性の高い環境を維持しながら、ユーザの使い勝手を格段的に向上させ得る通信装置を実現できる。
【００２０】
さらに本発明によれば、通信装置の制御方法において、他の通信端末に対する電源のオフ操作に応動して当該他の通信端末から送信される第１のメッセージを受信したときに第１の電源制御手段により自機のメイン電源をオフさせる一方、他の通信端末に対する電源のオン操作に応動して当該他の通信端末から送信される第２のメッセージを受信したときに第２の電源制御手段により自機のメイン電源をオンさせるステップを設け、自機のメイン電源がオフの間も第２の電源制御手段に対して駆動電源としてのサブ電源を供給し、かかるステップでは、第１のメッセージを受信したときに他の通信端末との間の通信モードを受信専用のモードに設定する一方、第２のメッセージを受信したときに当該通信モードを送受信可能なモードに設定するようにしたことにより、他の通信端末の電源のオン／オフに連動させて通信装置のメイン電源をオン／オフさせることができる。またこの場合において、通信装置のメイン電源がオフのときには、通信手段が受信専用のモードとなっているため、その間例えば通常動作時に当該通信装置から発信される通信に関する秘密情報を第三者に傍受されて盗まれるのを有効かつ未然に防止することができ、かくして安全性の高い環境を維持しながら、ユーザの使い勝手を格段的に向上させ得る通信装置の制御方法を実現できる。
【発明を実施するための最良の形態】
【００２１】
以下図面について、本発明の一実施の形態を詳述する。
【００２２】
（１）本実施の形態によるワイヤレステレビジョンシステムの構成
図１において、１は全体として本実施の形態によるワイヤレステレビジョンシステムを示し、ＩＥＥＥ８０２．１１規格におけるアクセスポイントとして機能する据え置き型のベースステーション部２と、ＩＥＥＥ８０２．１１規格におけるクライアントとして機能する可搬型のモニタ部３とから構成されている。
【００２３】
ベースステーション部２においては、背面側に外部アンテナ端子１２（図２）や、映像音声入出力端子１３（図２）及び外部ネットワーク用端子１４（図２）などの各種端子が設けられており、かくしてこれら各種端子を介して外部アンテナ１５（図２）や、外部ＡＶ（Audio Video）機器及び外部ネットワークと接続することができるようになされている。
【００２４】
一方、ベースステーション部２の内部には、図２に示すように、各種回路が形成された基板と、ＩＥＥＥ８０２．１１規格に準拠した無線ＬＡＮカード１６とが収納されている。
【００２５】
この場合、これら各種回路及び無線ＬＡＮカード１６は、動作時に高い駆動電流を要する高電流ブロック１７と、低い駆動電流で駆動可能な低電流ブロック１８とで電源の供給経路が分けられており、通常動作モード時には、高電流ブロック１７及び低電流ブロック１８に対して電源が供給され、スタンバイモード時には、低電流ブロック１８に対してのみ電源が供給される。なお、以下においては、高電流ブロック１７に対する電源をメイン電源と呼び、低電流ブロック１８に対する電源をサブ電源と呼ぶ。
【００２６】
ここで高電流ブロック１７は、図２からも明らかなように、メインＣＰＵ（Central Processing Unit）２０、各種制御プログラム等が格納されたフラッシュＲＯＭ（Read Only Memory）２１及びメインＣＰＵ２０のワークメモリとしてのＳＤ−ＲＡＭ（Synchronous Dynamic-Random Access Memory）２２、外部ネットワーク用の通信回路でなる外部ネットワーク用通信部２３、テレビジョン放送用のチューナでなるチューナ部２４、スイッチ部２５、アナログ／ディジタル変換部２６、ＭＰＥＧ（Moving Picture Expert Group）エンコーダ等でなる信号処理部２７、タイマ２８、カウンタ２９及び無線ＬＡＮカード１６などから構成されており、このうちメインＣＰＵ２０、外部ネットワーク用通信部２３、信号処理部２７、タイマ２８、カウンタ２９及び無線ＬＡＮカード１６がＰＣＩ（Peripheral Component Interconnect）バス３０を介して相互に接続されている。
【００２７】
そしてメインＣＰＵ２０は、電源スイッチ３１がオン操作されてメイン電源が投入されたときにＤＣ／ＤＣ（Direct Current/ Direct Current）変換部３２から与えられるメインパワー電流に基づいて動作し、初回の立ち上がり時には、フラッシュＲＯＭ２１に格納されたＩＥＥＥ８０２．１１規格に準拠した通信用のファームウェア（以下、これを通常動作モード用ファームウェアと呼ぶ）を無線ＬＡＮカード１６にダウンロードする。
【００２８】
かくして無線ＬＡＮカード１６は、通常動作モード時、この通常動作モード用ファームウェアに基づいてモニタ部３との間でＩＥＥＥ８０２．１１規格に準拠した無線ＬＡＮを構築し、この後この無線ＬＡＮを通じてモニタ部３との間で情報の送受信を行い得るようになされている。
【００２９】
そして無線ＬＡＮカード１６は、例えばモニタ部３から送信された各種メッセージ等を内蔵アンテナ３３及び低雑音増幅器３４を介して受信すると、これをＰＣＩバス３０を介してメインＣＰＵ２０に送出する。
【００３０】
このときメインＣＰＵ２０は、フラッシュＲＯＭ２１に格納された制御プログラムをＳＤ−ＲＡＭ２２に展開しており、モニタ部３からの各種メッセージ等が無線ＬＡＮカード１６から与えられると、このメッセージ等と、ＳＤ−ＲＡＭ２２に展開した制御プログラムとに基づいて各種制御処理を実行する。
【００３１】
例えばメインＣＰＵ２０は、モニタ部３からユーザにより指定されたテレビジョン放送のあるチャンネルを選局すべき旨のメッセージが与えられた場合には、これに応じて高電流ブロック１７内のチューナ部２４及びＡＶスイッチ部２５を制御する。
【００３２】
このときチューナ部２４は、外部アンテナ１５を介して入力される各チャンネルのテレビジョン放送波のうち、指定されたチャンネルのテレビジョン放送波を受信し、得られたアナログ波形の映像音声信号Ｓ１をＡＶスイッチ回路２５に送出する。
【００３３】
またＡＶスイッチ回路２５は、チューナ部２４から与えられる映像音声信号Ｓ１と、外部ＡＶ機器から外部入力端子１３を介して与えられる映像音声信号Ｓ２とのうちの後者を選択し、これを選択映像音声信号Ｓ３としてアナログ／ディジタル変換回路２６に送出する。
【００３４】
アナログ／ディジタル変換回路２６は、供給される選択映像音声信号Ｓ３をアナログ／ディジタル変換し、得られた映像音声データＤ１を信号処理部２７に送出する。また信号処理部２７は、供給される映像音声データＤ１に対して例えばＭＰＥＧ方式の圧縮符号化処理を施し、得られた符号化映像音声データＤ２をＰＣＩバス３０を介して無線ＬＡＮカード１６に送信する。
【００３５】
かくしてこの符号化映像音声データＤ２は、この後無線ＬＡＮカード１６においてＩＥＥＥ８０２．１１規格に従ってパケット化されて所定フォーマットの送信信号Ｓ４に変換され、さらにこの後電力増幅器３５及び内蔵アンテナ３３を介してモニタ部３に送信される。
【００３６】
一方、メインＣＰＵ２０は、モニタ部３から例えば外部入力端子１３を介して入力される外部ＡＶ機器からの映像音声信号Ｓ２を送信すべき旨のメッセージが与えられた場合には、これに応じてＡＶスイッチ部２５を制御する。
【００３７】
このときＡＶスイッチ回路２５は、チューナ部２４から与えられる映像音声信号Ｓ１と外部入力端子１３を介して外部ＡＶ機器から与えられる映像音声信号Ｓ２とのうちの後者を選択し、これを選択映像音声信号Ｓ３としてアナログ／ディジタル変換回路２６に送出する。
【００３８】
かくしてこの選択映像音声信号Ｓ３は、この後アナログ／ディジタル変換回路２６においてアナログ／ディジタル変換され、得られた映像音声データＤ１が信号処理部２７においてＭＰＥＧ規格に準拠した符号化処理により符号化映像音声データＤ２に変換された後、ＰＣＩバス３０を介して無線ＬＡＮカード１６に与えられる。また符号化映像音声データは、この無線ＬＡＮカード１６によりＩＥＥＥ８０２．１１規格に準拠した送信信号Ｓ４に変換され、この後電力増幅器３５及び内蔵アンテナ３３を介してモニタ部３に送信される。
【００３９】
他方、メインＣＰＵ２０は、例えばモニタ部３からインターネット上のあるＵＲＬ（Uniform Resource Locator）にアクセスすべき旨のメッセージが与えられた場合には、これに応じて高電流ブロック１７内の外部ネットワーク用通信部２３を制御する。
【００４０】
このとき外部ネットワーク用通信部２３は、例えばイーサネット（登録商標）等の外部ネットワークを介してインターネット上の指定されたＵＲＬにアクセスし、かくして得られた対応するホームページの画面データＤ３をＰＣＩバス３０を介して無線ＬＡＮカード１６に送信する。また無線ＬＡＮカード１６は、供給される画面データＤ３を無線ＬＡＮカード１６によりＩＥＥＥ８０２．１１規格に準拠した送信信号Ｓ４に変換し、これを電力増幅器３５及び内蔵アンテナ３３を介してモニタ部３に送信する。
【００４１】
このようにして高電流ブロック１７においては、通常動作モード時、モニタ部３から与えられる各種メッセージに基づいて、指定された映像音声信号Ｓ１、Ｓ２や指定されたＵＲＬからダウンロードした画面データＤ３をモニタ部３に送信し得るようになされている。
【００４２】
これに対して低電流ブロック１８においては、低雑音増幅器３４、無線ＬＡＮカード１６、マイクロコンピュータ部３６及びＥＥＰＲＯＭ（Electrically Erasable Programmable ROM）３７から構成されており、通常動作モード時及びスタンバイモード時ともにＤＣ／ＤＣ変換部３２から与えられるサブパワー電流（サブ電源）に基づいて動作する。
【００４３】
この場合無線ＬＡＮカード１６には、スタンバイモード時、メインＣＰＵ２０によりフラッシュＲＯＭ２１から読み出されたスタンバイモード時用のファームウェア（以下、これをスタンバイモード用ファームウェアと呼ぶ）がダウンロードされる。かくして無線ＬＡＮカード１６は、スタンバイモード時にはこのスタンバイモード用ファームウェアに基づいて通信モードを受信専用のモードに移行させる。
【００４４】
またマイクロコンピュータ部３６は、通常動作モード時にメインＣＰＵ２０から与えられる指示や、スタンバイモード時に無線ＬＡＮカード１６を通じて認識されるモニタ部３からの要求に応じてＤＣ／ＤＣ変換部３２を制御することにより、当該ＤＣ／ＤＣ変換部３２から高電流ブロック１７へのメインパワー電流の供給を開始又は停止させる。なおこのような無線ＬＡＮカード１６及びマイクロコンピュータ部３６の具体的な処理内容については後述する。
【００４５】
これに対してモニタ部３においては、図１からも明らかなように、全体としてボード状の外観形状を有し、その筐体４０の前面側に液晶パネル４１及びスピーカ４２が配設され、筐体４０の前面及び上面の所定位置に各種の作スイッチ４３が配設されている。
【００４６】
また液晶パネル４１の前側には当該液晶パネル４１と密着させて透明なタッチパネル４４が配設されており、かくしてユーザが液晶パネル４１に表示された各種アイコンやＧＵＩ画面を目視確認しながらタッチパネル４４上の対応位置を押圧することによって当該押圧位置に応じた所望の命令等をモニタ部３に入力し得るようになされている。
【００４７】
さらにモニタ部３の内部には、図３に示すように、ＣＰＵ４５、各種制御プログラム等が格納されたフラッシュＲＯＭ４６、ＣＰＵ４５のワークメモリとしてのＳＤ−ＲＡＭ４７、タッチパネル４４上のユーザにより押圧操作された座標位置を検出する座標検出部４８、ＭＰＥＧデコーダ等でなる信号処理部２４、タイマ２５及びカウンタ２６などの各種回路が形成された基板と、ＩＥＥＥ８０２．１１規格に準拠した無線ＬＡＮカード２７となどが収納されており、このうちＣＰＵ４５、座標検出部４８、信号処理部４９、タイマ５０、カウンタ５１及び無線ＬＡＮカード５２がＰＣＩバス５３を介して相互に接続されている。そしてモニタ部３においては、電源スイッチ４３Ａをオン操作することによって電源供給部５４から各回路に電源を供給させることができ、これにより全体を起動することができる。
【００４８】
そしてＣＰＵ４５は、このように電源が投入された立上がり時には、フラッシュＲＯＭ４６に格納された制御プログラムを読み出してＳＤ−ＲＡＭ４７に展開し、この後はこの制御プログラムと、各種操作スイッチ４３の押圧操作及び座標検出部４８により検出されたタッチパネル４４上のユーザにより押圧操作された位置とに基づいて各種制御処理を実行する。
【００４９】
例えばＣＰＵ４５は、各種操作スイッチ４３やタッチパネル４４が押圧操作されてユーザが所望するテレビジョン放送チャンネルの選局や、外部ＡＶ機器からベースステーション部２に与えられる映像音声の選択、又はユーザが所望するインターネット上のホームページへの接続などの命令が入力されると、対応するメッセージをＰＣＩバス５３を介して無線ＬＡＮカード５２に送信する。
【００５０】
無線ＬＡＮカード５２は、通常動作モード時、ベースステーション部３との間でＩＥＥＥ８０２．１１規格に準拠した無線ＬＡＮを構築しており、ＣＰＵ４５から送信される各種メッセージをＩＥＥＥ８０２．１１規格に従ってパケット化し、得られた送信信号Ｓ４を電力増幅器５５及び内蔵アンテナ５６を順次介してベースステーション部２に送信する。
【００５１】
また無線ＬＡＮカード５２は、ベースステーション部２から無線ＬＡＮを介して送信される送信信号Ｓ１４を内蔵アンテナ５６及び低雑音増幅器５７を順次介して受信し、かくして得られたベースステーション部２からのメッセージをＰＣＩバス５３を介してＣＰＵ４５に送信する一方、符号化映像音声データや画面データをＰＣＩバス５３を介して信号処理部４９に送出する。
【００５２】
信号処理部４９は、供給される符号化映像音声データや画面データに対してデコード処理等の所定の信号処理を施し、得られた映像データや画面データに基づく映像や画面を液晶パネル４１に表示させ、このとき得られた音声データに基づく音声をスピーカ４２から出力させる。
【００５３】
このようにしてモニタ部３においては、ベースステーション部２から送信される映像音声データ等に基づく映像を表示し、音声を出力し得るようになされている。
【００５４】
（２）ベースステーション部２の電源制御
次に、このワイヤレステレビジョンシステム１に搭載されたベースステーション部２の電源制御機能について説明する。
【００５５】
このワイヤレステレビジョンシステム１においては、モニタ部３の電源のオン／オフに連動させてベースステーション部２のメイン電源をオン／オフさせたり、ベースステーション部２及びモニタ部３間の無線接続が切断されたときにベースステーション部２のメイン電源をオフさせるベースステーション部２の電源制御機能が搭載されている。
【００５６】
実際上、このワイヤレステレビジョンシステム１の場合、モニタ部３の電源スイッチ４３Ａ（図３）がオフ操作されると、モニタ部３のＣＰＵ４５（図３）は、図４に示すモニタシャットダウン処理手順ＲＴ１に従ってモニタ部３の電源をオフさせる一方、ベースステーション部２のメインＣＰＵ２０（図２）はこれに連動して図４に示すベースシャットダウン処理手順ＲＴ２に従ってベースステーション部２のメイン電源をオフさせるようになされている。
【００５７】
すなわちモニタ部３のＣＰＵ４５は、通常動作モード時に電源スイッチ４３Ａがオフ操作されると、モニタシャットダウン処理手順ＲＴ１をステップＳＰ０において開始し、続くステップＳＰ１において、モニタ部３を直ちにスタンバイモードに移行させることができるか否かを判断する。
【００５８】
そしてＣＰＵ４５は、例えば現在何らかのアプリケーション処理を行っているなどの理由により直ちにスタンバイモードに移行できない場合には、その理由が解消するのを待ち受ける。またＣＰＵ４５は、やがてその理由が解消すると、ステップＳＰ２に進んで、無線ＬＡＮカード５２を介してモニタ部３をスタンバイモードに移行させる旨のメッセージ（以下、これをスタンバイ移行メッセージと呼ぶ）をベースステーション部２に送信する。
【００５９】
続いてＣＰＵ４５は、ステップＳＰ３に進んで、かかるスタンバイ移行メッセージに対するベースステーション部２からの応答メッセージを待ち受け、所定時間経過しても応答メッセージを受信できない場合にはステップＳＰ２に戻って再度スタンバイ移行メッセージをベースステーション部２に送信し、この後同様の処理を繰り返す。
【００６０】
そしてＣＰＵ４５は、やがてベースステーション部２からの応答メッセージを受信すると、後述のようにこの応答メッセージに付加（パケットのデータ部に格納）されたＩＤ（以下、これをベース起動用ＩＤと呼ぶ）をフラッシュＲＯＭ４６（図３）に格納した後にステップＳＰ４に進んで、所定の終了処理を実行する。そしてＣＰＵ４５は、この後この終了処理を終えてモニタ部３をスタンバイモードに移行させると、ステップＳＰ５に進んでこのモニタシャットダウン処理手順ＲＴ１を終了する。
【００６１】
このときベースステーション部２のメインＣＰＵ２０（図２）は、動作モードを通常動作モードに移行させるのと同時にベースシャットダウン処理手順ＲＴ２（図４）をステップＳＰ１０において開始し、続くステップＳＰ１１において、モニタ部３から何らかのメッセージが送信されてくるのを待ち受ける。
【００６２】
そしてメインＣＰＵ２０は、やがてモニタ部３から何らかのメッセージを受信すると、ステップＳＰ１２に進んで、そのメッセージがスタンバイ移行メッセージであるか否かを判断する。メインＣＰＵ２０は、このステップＳＰ１２において否定結果を得るとステップＳＰ１１に戻り、これに対して肯定結果を得ると、ステップＳＰ１３に進んで低電流ブロック１８（図２）のマイクロコンピュータ部３６（図２）が現在スタンバイモードに移行できる状態にあるか否かを判断する。
【００６３】
そしてメインＣＰＵ２０は、このときマイクロコンピュータ部３６が何らかの処理を行っているなどの理由により、このステップＳＰ１３において否定結果を得るとステップＳＰ１１に戻り、これに対して肯定結果を得るとステップＳＰ１４に進んで、フラッシュＲＯＭ２１（図２）に予め格納されているこのベースステーション部２に付与された上述のベース起動用ＩＤを読み出し、これをマイクロコンピュータ部３６に通知することにより、当該ベース起動用ＩＤをＥＥＰＲＯＭ３７に格納されたＩＤテーブルに登録させる。
【００６４】
またメインＣＰＵ２０は、この後ステップＳＰ１５に進んで、無線ＬＡＮカード１６（図２）が現在スタンバイモードに移行できる状態にあるか否かを判断する。そしてメインＣＰＵ２０は、例えば無線ＬＡＮカード１６が現在モニタ部３との間で通信をしているなどの理由によりこのステップＳＰ１５において否定結果を得るとステップＳＰ１１に戻る。
【００６５】
これに対してメインＣＰＵ２０は、このステップＳＰ１５において肯定結果を得ると、ステップＳＰ１６に進んで、ステップＳＰ１１において受信したスタンバイ移行メッセージに対する応答メッセージをモニタ部３に送信する。この際メインＣＰＵ２０は、フラッシュＲＯＭ２１に格納されている上述のベース起動用ＩＤを応答メッセージに付加する。
【００６６】
続いてメインＣＰＵ２０は、ステップＳＰ１７に進んで、フラッシュＲＯＭ２１からスタンバイモード用ファームウェアを無線ＬＡＮカード１６にダウンロードする一方、それまでのモニタ部３との通信時に取得した当該モニタ部３のＭＡＣ（Media Access Control）アドレスを無線ＬＡＮカード１６に登録する。
【００６７】
かくして無線ＬＡＮカード１６は、この後このスタンバイモード用ファームウェアに従って通信モードを受信専用のモードに移行させると共に、受信したＩＥＥＥ８０２．１１規格に準拠した送信信号Ｓ４のうち、登録されたＭＡＣアドレスの機器（モニタ部３）からの送信信号Ｓ４以外の送信信号Ｓ４を受け付けず、破棄するように動作する。
【００６８】
そしてメインＣＰＵ２０は、この後ステップＳＰ１８に進んで、そのとき設定されている全てのタスクを削除し、この後ステップＳＰ１９に進んで低電流ブロック１８のマイクロコンピュータ部３６（図２）を介してＤＣ／ＤＣ変換部３２（図２）を制御することにより高電流ブロック１７へのメインパワー電流の供給を停止させて、メイン電源を切断させる。
【００６９】
そしてメインＣＰＵ２０は、この後ステップＳＰ２０に進んでこのベースシャットダウン処理手順ＲＴ２を終了する。従って、この状態においては、ベースステーション部２が送信信号Ｓ４の受信のみを行うため、ベースステーション部２からはビーコンを含めた何らの信号も発信されない。
【００７０】
一方、このワイヤレステレビジョンシステム１の場合、モニタ部３のＣＰＵ４５（図３）は、電源スイッチ４３Ａがオン操作されると図５に示すモニタ起動処理手順ＲＴ３に従ってモニタ部３の電源をオンさせる一方、ベースステーション部２のメインＣＰＵ４５（図２）は、これに連動して図４に示すベース起動処理手順ＲＴ４に従ってベースステーション部２のメイン電源をオンさせるようになされている。
【００７１】
すなわちモニタ部３のＣＰＵ４５は、シャットダウンモード時に電源スイッチ４３Ａがオン操作されてモニタ部３の電源が投入されるとこのモニタ起動処理手順ＲＴ３をステップＳＰ３０において開始し、続くステップＳＰ３１においてフラッシュＲＯＭ４６（図３）に格納された制御プログラムをＳＤ−ＲＡＭ４７（図３）に展開し、この制御プログラムに従ってモニタ部３を起動するための所定の処理を実行する。
【００７２】
続いてＣＰＵ４５は、ステップＳＰ３１に進んで、モニタシャットアウト処理手順ＲＴ１のステップＳＰ３においてフラッシュＲＯＭ４６に格納したベースステーション部２から送信されたベース起動用ＩＤを無線ＬＡＮカード５２（図３）に送信することにより、このベース起動用ＩＤが付加されたウェイクアップメッセージをベースステーション部２に送信する。
【００７３】
そしてＣＰＵ４５は、この後ステップＳＰ３３に進んで、このウェイクアップメッセージに対するベースステーション部２からの応答メッセージを受信したか否かを判断し、否定結果を得るとステップＳＰ３２に戻って、この後同様の処理を繰り返す。
【００７４】
そしてＣＰＵ４５は、やがてベースステーション部２からの応答メッセージを受信することによりステップＳＰ３３において肯定結果を得ると、ステップＳＰ３４に進んで動作モードを通常動作モードに移行させ、この後ステップＳＰ３５に進んでこのモニタ起動処理手順ＲＴ３を終了する。
【００７５】
このときベースステーション部２では、スタンバイモードとなって低電流ブロック１８（図２）のみが動作しており、この低電流ブロック１８内の無線ＬＡＮカード１６（図２）がモニタ部３からメッセージが送信されてくるのを待ち受けている（ステップＳＰ４１）。
【００７６】
そして無線ＬＡＮカード１６は、モニタ部３から何らかのメッセージが与えられると、そのメッセージのＭＡＣアドレスを抽出し（ステップＳＰ４２）、この抽出したＭＡＣアドレスがベースシャットダウン処理手順ＲＴ２（図４）のステップＳＰ１７において登録されたものと一致するか否かを判断する（ステップＳＰ４３）。
【００７７】
そして無線ＬＡＮカード１６は、この抽出したＭＡＣアドレスが登録されたものと一致しない判断したときにはこのメッセージを破棄してモニタ部３からのメッセージの待ち受け状態に戻り（ステップＳＰ４１）、これに対して登録されたものと一致すると判断した場合には、このメッセージのパケットのデータ部に格納されたＩＤ（ベース起動用ＩＤ）を抽出し（ステップＳＰ４４）、これをシリアルバス３８（図２）を介してマイクロコンピュータ部３６（図２）に送信する。
【００７８】
マイクロコンピュータ部３６は、無線ＬＡＮカード１６からかかるＩＤが与えられると、このＩＤがモニタシャットダウン処理手順ＲＴ１（図４）のステップＳＰ３においてＥＥＰＲＯＭ３７に格納されているＩＤテーブルに登録したベース起動用ＩＤと一致するか否かを判断し（ステップＳＰ４５）、否定結果を得た場合にはこれを破棄する一方、肯定結果を得た場合には、現在ベースステーション部２を起動できる状態か否かを判断する（ステップＳＰ４６）。
【００７９】
そしてマイクロコンピュータ部３６は、何らかの原因によりベースステーション部２を起動できない状態にあると判断した場合には何らの処理をもせず、これに対してベースステーション部２が起動できる状態にあると判断した場合には、ＤＣ／ＤＣ変換部３２（図２）を制御して高電流ブロック１７（図２）へのメインパワー電流の供給を開始させるようにして、ベースステーション部２のメイン電源を投入する。
【００８０】
かくしてこのメイン電源の投入により高電流ブロック１７のメインＣＰＵ２０（図２）が立ち上がり、この後メインＣＰＵ２０がフラッシュＲＯＭ２１（図２）に格納された制御プログラムを読み出してＳＤ−ＲＡＭ２２（図２）に展開し、この制御プログラムに従ってベースステーション部２を起動するための所定のシステム起動処理を実行する（ステップＳＰ４７）。またこのときメインＣＰＵ２０は、フラッシュＲＯＭ２１から通常動作モード用ファームウェアを無線ＬＡＮカード１６にダウンロードすることにより、無線ＬＡＮカード１６の通信モードを受信専用のモードから送受信可能な通常のモードに切り換える。
【００８１】
またメインＣＰＵ２０は、このようにしてベースステーション部２を起動し終えると、モニタ部３に対してステップＳＰ４１において受信したウェイクアップメッセージに対する応答メッセージを送信する（ステップＳＰ４８）。これによりモニタ部３の電源投入に連動するベースステーション部２の一連の起動処理が終了する（ステップＳＰ４９）。
【００８２】
他方、このワイヤレステレビジョンシステム１の場合、モニタ部３のＣＰＵ４５（図３）が通常動作モード時に上述のモニタシャットダウン処理手順ＲＴ１（図４）と並行して図６に示す通信確認処理手順ＲＴ５を実行すると共に、ベースステーション部２のメインＣＰＵ２０（図２）が通常動作モード時に上述のベースシャットダウン処理手順ＲＴ２（図４）と並行して図７に示す通信確認処理手順ＲＴ６を実行することにより、モニタ部３及びベースステーション部２間の通信が切断したときにベースステーション部２側の独自の制御で当該ベースステーション部２のメイン電源をオフさせ得るようになされている。
【００８３】
実際上、モニタ部３のＣＰＵ４５は、通常動作モードに移行すると図６に示す通信確認処理手順ＲＴ５をステップＳＰ５０において開始し、続くステップＳＰ５１においてタイマ５０（図３）をリセットした後に当該タイマ５０にカウントを開始させ、続くステップＳＰ２において所定のキープアライブ（Keep Alive）メッセージをベースステーション部２に送信する。
【００８４】
続いてＣＰＵ４５は、ステップＳＰ５３に進んで、タイマ５０のカウント値に基づいて、キープアライブメッセージに対するベースステーション部２からの応答メッセージを所定時間内に受信できたか否かを判断する。そしてＣＰＵ４５は、このステップＳＰ５３において肯定結果を得ると、ステップＳＰ５４に進んでカウンタ５１（図３）をリセットした後、ステップＳＰ５５に進んで予め定められた一定時間だけ待機する。
【００８５】
次いでＣＰＵ４５は、ステップＳＰ５１に戻り、この後ステップＳＰ５３において否定結果を得るまでステップＳＰ５１〜ＳＰ５５−ＳＰ５１のループを繰り返す。従って、この間モニタ部３からは一定時間毎にキープアライブメッセージが発信されることになる。
【００８６】
一方、ＣＰＵ４５は、ステップＳＰ５３において否定結果を得ると、ステップＳＰ５６に進んでカウンタ５１のカウント値を「１」だけ増加させ、この後ステップＳＰ５７に進んで、このカウンタ５１のカウント値が予め定められた既定値Ｘと一致するか否かを判断する。そしてＣＰＵ４５は、このステップＳＰ５７において否定結果を得るとステップＳＰ５１に戻り、カウンタ５１のカウント値が既定値Ｘと一致するまで同様の処理を繰り返す。
【００８７】
そしてＣＰＵ４５は、ある時間ベースステーション部２からの応答メッセージを受信し得なかったことにより、ステップＳＰ５７において肯定結果を得ると、ステップＳＰ５８に進んでベースステーション部２に対して上述のベース起動ＩＤを付加したウェイクアップメッセージを送信し、この後ステップＳＰ５９に進んで、このウェイクアップメッセージに対するベースステーション部２からの応答メッセージが所定時間内にあったか否かを判断する。そしてＣＰＵ４５は、このステップＳＰ５９において否定結果を得るとステップＳＰ５８に戻り、この後同様の処理を繰り返す。
【００８８】
さらにＣＰＵ４５は、やがてステップＳＰ５９においてウェイクアップメッセージに対するベースステーション部２からの応答メッセージを受信することにより肯定結果を得るとステップＳＰ５１に戻り、この後ステップＳＰ５１〜ステップＳＰ５９について同様の処理を繰り返す。
【００８９】
このときベースステーション部２のメインＣＰＵ２０（図２）は、通常動作モードに移行後に図６に示す通信確認処理手順ＲＴ６をステップＳＰ６０において開始しており、続くステップＳＰ６１においてタイマ２８（図２）をリセットした後に当該タイマ２８にカウントを開始させ、続くステップＳＰ６２においてタイマ２８のカウント値に基づいて、キープアライブメッセージを所定時間内に受信したか否かを判断する。
【００９０】
そしてメインＣＰＵ２０は、このステップＳＰ６２において肯定結果を得ると、ステップＳＰに進んでカウンタ２９（図２）をリセットし、この後ステップＳＰ６４に進んでモニタ部３に対してキープアライブメッセージに対する応答メッセージを送信する。
【００９１】
そしてメインＣＰＵ２０は、ステップＳＰ６１に戻り、この後ステップＳＰ６２において否定結果を得るまでステップＳＰ６１〜ＳＰ６４−ＳＰ６１のループを繰り返す。従って、この間ベースステーション部２とモニタ部３とは無線接続されていることになる。
【００９２】
一方、メインＣＰＵ２０は、ステップＳＰ６２において否定結果を得ると、ステップＳＰ６５に進んでカウンタ２９のカウント値を「１」だけ増加させ、この後ステップＳＰ６６に進んで、このカウンタ２９のカウント値が既定値Ｙと一致するか否かを判断する。そしてメインＣＰＵ２０は、このステップＳＰ６６において否定結果を得るとステップＳＰ６１に戻り、カウンタ２９のカウント値が既定値Ｙと一致するまで同様の処理を繰り返す。
【００９３】
そしてメインＣＰＵ２０は、ある時間モニタ部３からのキープアライブメッセージを受信し得なかったことによりステップＳＰ６７において肯定結果を得ると、ステップＳＰ６８に進んで低電流ブロック１８（図２）のマイクロコンピュータ部３６（図２）が現在スタンバイモードに移行できる状態にあるか否かを判断する。
【００９４】
そしてメインＣＰＵ２０は、このときマイクロコンピュータ部３６が何らかの処理を行っているなどの理由によりこのステップＳＰ６７において否定結果を得るとステップＳＰ６１に戻り、これに対して肯定結果を得るとステップＳＰ６８に進んで、フラッシュＲＯＭ２１（図２）に格納された上述のベース起動ＩＤを読み出してマイクロコンピュータ部３６に通知し、これをＥＥＰＲＯＭ３７に格納されているＩＤテーブルに登録させる。
【００９５】
さらにメインＣＰＵ２０は、この後ステップＳＰ６９に進んで、無線ＬＡＮカード１６（図２）が現在スタンバイモードに移行可能な状態にあるか否かを判断する。そしてＣＰＵは、例えば無線ＬＡＮカード１６が現在モニタ部３との間で通信をしているなどの理由によりこのステップＳＰ６９において否定結果を得るとステップＳＰ６１に戻る。
【００９６】
これに対してメインＣＰＵ２０は、このステップＳＰ６９において肯定結果を得るとステップＳＰ７０に進んで、この後ステップＳＰ７０〜ステップＳＰ７２までを図４について上述したベースシャットダウン処理手順ＲＴ２のステップＳＰ１７〜ステップＳＰ１９と同様に処理した後、ステップＳＰ７３に進んでこの通信確認処理手順ＲＴ６を終了する。
【００９７】
このようにしてこのワイヤレステレビジョンシステム１では、モニタ部３が通信圏内の範囲を超えてベースステーション部２から離反した位置にまで搬送された場合や、モニタ部３及びベースステーション部２間に通信障害が発生した場合においてもベースステーション部２のメイン電源をオフさせることができるようになされている。
【００９８】
（３）本実施の形態の動作及び効果
以上の構成において、モニタ部３側は、電源スイッチ４３Ａがオフ操作されるとこれに応動してスタンバイ移行メッセージをベースステーション部２に送信し、ベースステーション部２側では、このスタンバイ移行メッセージを受信すると、無線ＬＡＮカード１６のファームウェアを受信専用のスタンバイモード用ファームウェアに書き換えた上でメイン電源をオフさせる。またベースステーション部２では、メイン電源のオフ後も低電流ブロック１８にサブ電源を供給し、モニタ部３からのウェイクアップメッセージを待ち受ける。
【００９９】
そしてモニタ部３側は、この後電源スイッチ４３Ａがオン操作されるとこれに応動してウェイクアップメッセージをベースステーション部２に送信し、ベースステーション部２側では、このウェイクアップメッセージを受信すると、低電流ブロック１８のマイクロコンピュータ部３６の制御のもとにメイン電源を投入し、この後メインＣＰＵ２０により無線ＬＡＮカード１６のファームウェアをモニタ部３との間で情報の送受信可能な通常動作モード用ファームウェアに書き換える。
【０１００】
従って、このワイヤレステレビジョンシステム１では、モニタ部３の電源のオフ／オフに連動させてベースステーション部２のメイン電源をオン／オフすることができるため、例えばテレビジョン放送番組の視聴後にモニタ部３及びベースステーション部２の電源をそれぞれ別個に手動でオフするなどの、モニタ部３及びベースステーション部２の電源をそれぞれ独立して操作しなければならないという煩わしさからユーザを開放することができる。
【０１０１】
またこの場合において、このワイヤレステレビジョンシステム１では、上述のようにベースステーション部２のメイン電源がオフのときには当該ベースステーション部２の無線ＬＡＮカード１６が受信専用のモードに設定されるために、その間ベースステーション部２からはビーコンが発信されず、悪意ある第三者にベースステーション部２のＳＳＩＤやモニタ部との通信時における暗号化に関する情報などが盗まれるのを未然かつ有効に防止することができる。
【０１０２】
以上の構成によれば、モニタ部３の電源のオフ操作又はオン操作に応動して当該モニタ部３からスタンバイ移行メッセージ又はウェイクアップメッセージをベースステーション部２に送信し、ベースステーション部２側が、このスタンバイ移行メッセージ又はウェイクアップメッセージを受信したときにこれに応動してメイン電源をオフ又はオンする一方、ベースステーション部２側において、メイン電源のオフ後も低電流ブロック１８にサブ電源を供給し、さらにメイン電源をオフ又はオンする際に無線ＬＡＮカード１６のファームウェアを受信専用のスタンバイモード用ファームウェア又は送受信可能な通常動作モード用ファームウェアに書き換えるようにしたことにより、モニタ部３の電源のオン／オフに連動させてベースステーション部２のメイン電源をオン／オフさせながら、ベースステーション部２のＳＳＩＤやモニタ部との通信時における暗号化に関する情報などが盗まれるのを未然かつ有効に防止することができ、かくして安全性の高い環境を維持しながら、ユーザの使い勝手を格段的に向上させ得るワイヤレステレビジョンシステムを実現できる。
【０１０３】
（４）他の実施の形態
なお上述の実施の形態においては、本発明をワイヤレステレビジョンシステム１に適用するようにした場合について述べたが、本発明はこれに限らず、要は、第１及び第２の通信端末間で所定の無線通信規格に従って通信を行うこの他種々の通信システム及び通信装置に広く適用することができる。
【０１０４】
また上述の実施の形態においては、ベース起動用ＩＤが予めベースステーション部２のフラッシュＲＯＭ２１に格納されている場合について述べたが、本発明はこれに限らず、ベースステーション部２のメインＣＰＵ２０がその都度乱数等を発生させて、これをベース起動用ＩＤとして用いるようにしても良い。
【０１０５】
さらに上述の実施の形態においては、ベースステーション部２の無線ＬＡＮカード１６のファームウェアをメイン電源のオフ／オンに応動させて書き換えるようにした場合について述べたが、本発明はこれに限らず、例えば予め無線ＬＡＮカード１６にスタンバイモード用及び通常動作モード用の各ファームウェアを格納しておき、メインＣＰＵ２０がメイン電源のオン／オフに応動してファームウェアとしてどちらのファームウェアを使用するかの設定を切り換えるように無線ＬＡＮカード１６を制御するようにしても良い。
【０１０６】
さらに上述の実施の形態においては、モニタ部３における電源スイッチ４３Ａのオフ操作又はオン操作に応動してスタンバイ移行メッセージ又はウェイクアップメッセージをベースステーション部２に送信するメッセージ送信手段を、モニタ部３全体の制御を司るＣＰＵ４５及び無線ＬＡＮカード５２等により構成するようにした場合について述べたが、本発明はこれに限らず、例えばＣＰＵ４５とは別個にこのような機能を有する何らかの手段を設けるようにしても良い。
【０１０７】
さらに上述の実施の形態においては、ベースステーション部２の通信手段としての無線ＬＡＮカード１６がＩＥＥＥ８０２．１１規格に従った通信フォーマットでモニタ部３と通信するようにした場合について述べたが、本発明はこれに限らず、モニタ部３及びベースステーション部２間の通信に適用する無線通信規格としてはこの他種々の無線通信規格を広く適用することができる。
【０１０８】
さらに上述の実施の形態においては、低電流ブロック１８においてベース起動用ＩＤを記憶する手段としてＥＥＰＲＯＭ３７を適用するようにした場合について述べたが、本発明はこれに限らず、ＥＥＰＲＯＭ以外のメモリや、メモリ以外の例えばハードディスクなどのディスク状記憶媒体などを広く適用することができる。
【０１０９】
これと同様に、上述の実施の形態においては、高電流ブロック１７において無線ＬＡＮカード１６にダウンロードするスタンバイモード用ファームウェア及び通常動作モード用ファームウェアや、ベース起動用ＩＤを記憶する手段としてフラッシュＲＯＭ２１を適用するようにした場合について述べたが、本発明はこれに限らず、フラッシュＲＯＭ以外のメモリや、メモリ以外の例えばハードディスクなどのディスク状記憶媒体などを広く適用することができる。
【０１１０】
さらに上述の実施の形態においては、ベースステーション部２において、スタンバイ移行メッセージを受信したときに、当該ベースステーション部２のメイン電源をオフさせる第１の電源制御手段と、スタンバイ移行メッセージを受信したときに無線ＬＡＮカード１６を受信専用のモードに設定するモード設定手段としての機能をベースステーション部２全体の制御を司るメインＣＰＵ２０に搭載するようにした場合について述べたが、本発明はこれに限らず、これらの機能を有する何らかの手段をメインＣＰＵ２０とは別体に設けるようにしても良い。
【０１１１】
同様に、上述の実施の形態においては、ベースステーション部２において、ウェイクアップメッセージを受信したときに、当該ベースステーション部２のメイン電源をオンさせる第２の電源制御手段と、ウェイクアップメッセージを受信したときに無線ＬＡＮカード１６を送受信用の通常のモードに設定するモード設定手段としての機能を同じ低電流ブロック１８のマイクロコンピュータ部３６に搭載するようにした場合について述べたが、本発明はこれに限らず、これらを個別の手段にそれぞれ別個に搭載するようにしても良い。
【０１１２】
さらに上述の実施の形態においては、低電流ブロック１８にサブ電源を供給するサブ電源供給手段としてＤＣ／ＤＣ変換器３２を適用するようにした場合について述べたが、本発明はこれに限らず、電源供給形態に応じてこの他の電源供給手段を広く適用することができる。
【産業上の利用可能性】
【０１１３】
本発明は、ワイヤレステレビジョンシステムの他、種々の通信システム及び通信装置に広く適用することができる。
【図面の簡単な説明】
【０１１４】
【図１】本実施の形態によるワイヤレステレビジョンシステムの構成を示す略線図である。
【図２】ベースステーション部の構成を示すブロック図である。
【図３】モニタ部の構成を示すブロック図である。
【図４】モニタ部及びベースステーション部におけるシャットダウン処理の説明に供するフローチャートである。
【図５】モニタ部及びベースステーション部における起動処理の説明に供するフローチャートである。
【図６】モニタ部における通信確認処理の説明に供するフローチャートである。
【図７】ベースステーション部における通信確認処理の説明に供するフローチャートである。
【符号の説明】
【０１１５】
１……ワイヤレステレビジョンシステム、２……ベースステーション部、３……モニタ部、１６、５２……無線ＬＡＮカード、２０……メインＣＰＵ、２１、４６……フラッシュＲＯＭ、２３……外部ネットワーク用通信部、２８、５０……タイマ、２９、５１……カウンタ、３６……マイクロコンピュータ部、３７……ＥＥＰＲＯＭ、Ｓ４……送信信号、ＲＴ１……モニタシャットダウン処理手順、ＲＴ２……ベースシャットダウン処理手順、ＲＴ３……モニタ起動処理手順、ＲＴ４……ベース起動処理手順、ＲＴ５、ＲＴ６……通信確認処理手順。
【図１】
2005244487.tif 000003
【図２】
2005244487.tif 000004
【図３】
2005244487.tif 000005
【図４】
2005244487.tif 000006
【図５】
2005244487.tif 000007
【図６】
2005244487.tif 000008
【図７】
2005244487.tif 000009